Podtech/llm-jp-corpus-v4-ja_patent huggingface dataset:
(57)【要約】【課題】身体を加温して癌を治療するハイパーサーミア療法の加温装置において、腫瘍部分の周辺を限定して加温する。【解決手段】身体の外部に環状の磁性体設置し、この磁性体に高周波磁束を発生させ、身体の磁束と鎖交す部分に周回磁束の変化により高周波電圧を発生させ、この電圧により電子を振動させ摩擦により加温する。複数の周回磁束を用い腫瘍部分が集中的に加温する。【選択図】図１
2004237050.tif 000002
【特許請求の範囲】
【請求項１】
被加温物の外部に環状の磁性体設置し、この磁性体に高周波磁束を発生させ、被加温物の磁束と鎖交す部分に周回磁束の変化により高周波電圧を発生させ、この電圧により電子を振動させ摩擦により被加温物の部分を限定して加温する加温装置。
【発明の詳細な説明】
【０００１】
【発明の属する技術分野】本発明は、ハイパーサーミア療法における加温装置に関するものである。ハイパーサーミアとは人体を加温して癌を治療する温熱療法の一種である。
【０００２】
【従来の技術】従来から、ガンは正常組織よりも熱に脆弱であるという事が知られている。ガン細胞はその急激な増殖から血管育成が未熟であり、体温上昇における代謝抗進に際して熱の排出や酸素の供給が不十分なので、正常組織よりも鬱熱や低酸素障害を引き起こしやすい。そのため、ガンの治療方法の一つとして、ハイパーサーミアという人体を加温する温熱療法が試みられている。
【０００３】
加温には、マイクロ波や磁力線を用いて腫瘍細胞のみを直接加温する局所加温装置と、カーボンや電熱線による遠赤外線の輻射熱を用いて人の体温全体を上昇させる全身加温装置がある。
【０００４】
【発明が解決しようとする課題】腫瘍細胞のみを直接加温する局所加温装置として身体を２枚電極ではさんで高周波電圧を印加する装置があるが、身体内部の腫瘍のみのを集中的に加温すること出来きず周辺部分も加温されてしまう問題があった。ハイパーサーミアでは腫瘍部を４２度その他の部分を４０度以下に加温されるようにする必要があるが前記の理由により困難であった。
【０００５】
本発明は、磁力線を用いて腫瘍細胞のみを直接加温する方法として、身体内部に磁束を通さず、身体外部に周回磁束を発生させることにより身体内部に電圧を発生させ腫瘍部分を集中的に加温する課題を解決することを目的としている。
【０００６】
【課題を解決するための手段】本発明は、身体１１の外部に環状の磁性体１２、一次巻線１３を設け、一時巻線き高周波電圧１４を印加し身体を二次巻線とし身体に直接電圧を発生させる電磁誘導電圧による誘電加温です。この電圧を発生させる仕組みは蛍光灯点灯装置で実用化されている。すなわち変圧器の二次巻線にかえ終端のない環状の蛍光灯の磁束が鎖交している部分に約１００Ｖの電圧を発生させ、この電圧により電流を流し蛍光灯を点灯させている。終端のある身体を磁束と鎖交させると、電圧は発生するが電流は流れない。この電圧により電子は力を受け高周波で振動し摩擦により発熱し加温される。電圧の発生は磁束が鎖交している部分に限定される。
【０００７】
【発明の実施の形態】患者の腫瘍部を周回磁束を発生させる環状の磁性体の内側におき腫瘍部の温度が４２度になるように一次巻線に高周波電圧を印加する。周回磁束と鎖交している部分１５にのみ電圧が発生する。但し、周回磁束を導体２４で短絡すると変圧器の２次巻線の短絡と同様に大電流が流れ危険です。すなわち装置の外より治療者の頭部と足を両手でつかむと短絡の閉ループが出来大電流がながれ感電します。
【０００８】
【実施例】
図２に加温装置の概観を示す。周回磁束２１の変化によって、組織の電子が急速な移動動作を起こし、摩擦熱を発生させる。これは組織自体の自己発熱であり、身体の表面から深部までが一様に加温されます。頭部２２、足部２３間には数百Ｖの電圧が発生しますが開ループである為電流は全く流れません。加温に必要な単位長あたりの電圧はサーモトロンと同じです。
この装置を実現するには直径約１メートルの高性能磁性材料が必要です、性能が悪い場合は損失が生じ冷却が必要になります。透磁率が高く低損失なフェライト又はアモルファスコアーが適しています。高周波の周波数は８ＭＨｚが良いといわれています。加温部の温度制御は重要です。
【０００９】
腫瘍部に限定をさらに高めるには複数の周回磁束を用いて身体の一点を周回磁束と鎖交させを加温します。
３組の磁性体３１，３２，３３設け３組の周回磁束を同時、又は時間差をもって動作させます。加温は各周回磁束断面毎に行われるが交差点３４は３組の周回磁束で加温されルため他の部分をより加温されます。尚頭部３６は周回磁束面外にする必要があります。
【００１０】
一次コイル電流は磁束の鎖交部分の状態に対応して流れるため、磁束の幅を狭くし、複数の周回磁束を用いると交差点の電子の振動状態に比例する値が得られる。交差点を身体内部で移動させ一次コイル電流を求め、計算処理すると、内部の状態に対応する身体内部映像撮影が得られる。加温は摩擦が小さい金属以外であればかのうです。
【００１１】
【発明の効果】人体の腫瘍部に限定した加温が行われるので、人体への負担を抑えた加温ができ、ハイパーサーミア効果を高めき抗がん剤を不要または低減させた新しい物理療法の発達に貢献できる。
【図面の簡単な説明】
【図１】「本発明の原理を示した説明図である。」
【図２】「本発明の装置の外観を示した斜視図である。」
【図３】「本発明の応用を示した説明図である。」
【符号の説明】
１１身体
１２磁性体
１３一次巻線
１４高周波電圧
１５周回磁束と鎖交している部分
２１周回磁束
２２頭部
２３足部
２４導体
３１磁性体
３２磁性体
３３磁性体
３４交差点
３５腫瘍部
３６頭部
【図１】
2004237050.tif 000003
【図２】
2004237050.tif 000004
【図３】
2004237050.tif 000005
(57)【要約】【目的】本袋菓子トレーを利用すると、開封した袋菓子を、菓子包装袋を利用して中身をこぼすことなく見た目にもきれいに食べることができる。また、本袋菓子トレーは折り畳めるので、収納や携帯に便利である。【構成】扇型シート（１）と、このシートをすり鉢状に丸めて環状体としたとき両端を止める止め具（２）、止め具（３）とから構成される事を特徴とする袋菓子用トレーである。【選択図】                図１
2004237044.tif 000002
【特許請求の範囲】
【請求項１】
扇型シートと、このシートをすり鉢状に丸めて環状体としたとき両端を止める止め具とから構成される袋菓子用トレー。
【請求項２】
前記止め具が、マジックテープ、スナップまたは、シートの切り込み穴と、この穴に差し込む差込片とからなる請求項１記載の袋菓子用トレー。
【請求項３】
請求項１のトレーの側面に取っ手を付けた袋菓子用トレー。
【請求項４】
前記扇型シートは、その組み立て時につまみ部分となる取っ手を備え、この取っ手と、その両端の突起部を差し込んで掛止する、前記扇型シートの一端部に設けた一対の第一差込穴と、取っ手の両端の突起部を差し込む前記扇型シートの他端部に設けた一対の第２差込穴とで、前記止め具を構成したことを特徴とする、請求項１記載の袋菓子用トレー。
【発明の詳細な説明】
【０００１】
【発明の属する技術分野】
この発明は、、菓子包装袋の受け皿として機能する袋菓子用トレーに関するものである。
【０００２】
【従来の技術】
従来、袋菓子を食べるとき、開封してそのまま食べるか、大きな皿に盛って食べるかしていた。
【０００３】
【発明が解決しようとする課題】
しかし、この食べかたには問題があった。
イ）    袋菓子を開封してそのまま食べようとするとき、袋が倒れて中身の菓子がこぼれやすく、見た目も悪かった。
ロ）    菓子を皿に盛ると、皿が汚れてしまった。
ハ）    菓子を盛る大きな皿は、保管や携帯に不便であった。
本案はこれらの欠点を解決することを目的とする。
【０００４】
【課題を解決しようとする手段】
上記目的を達成するために、本発明が提供する袋菓子用トレーは、扇型シートをすり鉢状に丸めて環状体とする。そしてシート（１）の両端を止め具（２）、止め具（３）で止め、立体的なトレーとする。本案は以上のような構成したものである。
【０００５】
【実用例】
以下本案の実施例について図面を参照しながら説明する。
（イ）丸めてすり鉢状にできるシートで扇型シート（１）を形成して、その両端に止め具（２）止め具（３）を設ける。
（ロ）扇状シート（１）をすり鉢状に丸めて環状体とし、止め具（２）止め具（３）を止め第２図で示すような環状体菓子トレーとする。
本案は以上のような構造で、これを使用するときは、袋菓子を中身が入ったまま開封して、菓子包装袋ごと、第２図で示すように組み立てられた、菓子トレーにいれる。第３図のように使用する。
なお、止め具の形態を、以下のようなものにしてもよい。
（ａ）  第４図で示すように、止め具を雄型マジックテープ（４）と、雌型マジックテープ（５）とする。
（ｂ）  第５図で示すように、止め具を雄型スナップ（６）と、雌型スナップ（７）とする。
（ｃ）  第６図で示すように、止め具を切り込み穴（８）と、前記切り込み穴にあったさし込み片（９）とする。
また、いずれの止め具形態の菓子トレーにも、第７図で示すように、その側方に把持部となる取っ手をもうけてもよい。
また、第８図で示すように、組み立てたとき把持部となる取っ手を備える袋菓子トレーであり、扇型シート（１）と、前記シートの両端に切り込み穴（１１）（１２）を設け、一端に、取っ手の両端に止め具を備えた取っ手（１３）を差し込み、もう一端には、前記止め具にあったシートの切り込み穴（１２）を開けた菓子トレーである。
【０００６】
【発明の効果】
本案袋菓子トレーを使用すると、開封した袋菓子の中身をこぼすことなく、皿に盛り付けたように、きれいに食べることができる。また、折り畳むことができるので携帯や、保管に便利である。
【図面の簡単な説明】
【図１】本案の展開図である。
【図２】本案組み立て完成図である。
【図３】本案利用例である。
【図４】本案別例展開図である。
【図５】本案別例展開図である。
【図６】本案別例展開図である。
【図７】本案別例である。
【図８】本案別例展開図である。
【符号の説明】
１  扇型シート
２  止め具
３  止め具
４  雄型マジックテープ
５  雌型マジックテープ
６  雄型スナップ
７  雌型スナップ
８  切り込み穴
９  さしこみ片
１０  取っ手
１１  切り込み穴
１２  切り込み穴
１３  取っ手
１４  菓子包装袋
【図１】
2004237044.tif 000003
【図２】
2004237044.tif 000004
【図３】
2004237044.tif 000005
【図４】
2004237044.tif 000006
【図５】
2004237044.tif 000007
【図６】
2004237044.tif 000008
【図７】
2004237044.tif 000009
【図８】
2004237044.tif 000010
(57)【要約】【課題】一定以上の温度に達すると冷却効果が低下していたノートパソコン用のファンレス冷却台を、長時間しても、その効果が低下しないようにし、さらに台部分の角度を調節できるようにする。【解決手段】載置台の台部１を脚部２によって机面から浮かせ、さらに台の裏にヒートシンク６を取り付け、冷却効果を高める。また、脚部の接続を、軸３と円弧状の穴４を利用した回転機構にする事により、台部の角度を調節できるようにする。【選択図】  図１
2004237047.tif 000002
【特許請求の範囲】
【請求項１】
ノートパソコンを載置する台部の側面に脚部を設け、脚部によって台部を机面から浮かせ、更に台の裏面にアルミ押し出し材によるヒートシンクを取り付けた事を特徴とするノートパソコン用載置台。
【請求項２】
請求項１に記載のノートパソコン用載置台において、脚部の台部との接続箇所に軸と軸を中心とする円弧状の穴を利用する回転機構を設け、台部分の傾斜角度の調節を可能にした事を特徴とするノートパソコン用載置台。
【発明の詳細な説明】
【０００１】
【発明の属する技術分野】
本発明は、ノート型パーソナルコンピューターの発熱を抑止する為に、パソコン本体の下に設置して使用する、ノートパソコン用載置台に関するものである。
【０００２】
【従来の技術】
従来のファンを用いないノートパソコン用の冷却台はアルミニウムの熱伝導率の高さを利用した、厚めの板状の物であった。しかし、その底部が机面に接触しているため、ノートパソコンから伝わった熱を逃がすことができず、冷却台自体の温度が一定以上まで上昇すると、それ以降の冷却効果が著しく低下していた。また、その構造が、可動部分を持たない、板状の物であるため、ノートパソコンを乗せる部分の角度を調節することができなかった。
【０００３】
【発明が解決しようとする課題】
本発明は上述の点にかんがみてなされたものであり、上記従来のノートパソコン用載置台が有する点を除去し、ノートパソコンが発生する熱を効果的に放熱し、且つキーボード面の角度調節を可能とするノートパソコン用載置台を提供する事を目的とする。
【０００４】
【課題を解決するための手段】
上に記載の課題を解決するため、請求項１に記載したように、ノートパソコンを載置する台部の側面に脚部を設け、脚部によって台部を机面から浮かせ、更に台の裏面にアルミ押し出し材によるヒートシンクを取り付ける。更に請求項１に記載のノートパソコン用載置台において、脚部の台部との接続箇所に軸と軸を中心とする円弧状の穴を利用する回転機構を設け、台部分の傾斜角度の調節を可能にする。
【０００５】
【発明の実施の形態】
本発明の実施の形態を図面に基づいて説明する。図１は載置台の右上からの斜視図である。図２は載置台の右下斜め後ろからの斜視図である。図３は可動例１の側面図である。図４は可動例２の側面図である。図５は脚部の斜視図である。
【０００６】
本発明は、図示するように、パソコンを乗せる例えばアルマイト処理をした板状のアルミニウム製の台部１を同じくアルミニウム製の脚部２で支えながら、机面７から浮かせ、台１の裏面にアルミニウム押し出し材によるヒートシンク６を取り付ける。また、台部１の脚部２との接続部分にはステンレス製のネジまたはピン等の軸３を取り付け、脚部２には軸３を中心とした円弧状の穴４を設ける。さらに、円弧状の穴４の中を通り、脚部２を任意の位置で固定するためのステンレス製のネジ５にて構成する。
【０００７】
本発明は、上記のように構成するので、台部１が机面７と接触せず、さらにヒートシンク６が取り付けてあるため、冷却効果が長時間持続する。また、軸３を中心として、脚部２を回転させ、ネジ５によって任意の位置で固定し、それを接地させると、台部１の後端の高さが変化する事になり、それにより台部１の角度調節を可能にする。
【０００９】
上述した構成において、台部１はアルミニウムの表面処理をアルマイト処理に限らず、ショットブラスト、メッキ、またはイリダイト、アロジン等の化成処理にて加工したもの、または表面処理をしていないものでも代替することができる。また、素材についても、アルミニウムに限らず、アルミニウム合金、銅、カーボン等、その他の熱伝導率の優れた素材にて代替する事ができる。
【００１０】
上述した構成において、脚部２はアルミニウム製に限らず、その他の金属、またはプラスチック等による樹脂成型品等でも代替することができる。
【００１１】
上述した構成において、軸３はステンレス製のピン、ネジに限らず、その他の金属や、この部分に使用可能な強度を持つプラスチックなど樹脂製のものでも代替する事ができる。
【００１２】
上述した構成において、ネジ５は、ステンレス製に限らず、その他の金属や、この部分に使用可能な強度を持つプラスチック等の樹脂製のものでも代替する事ができる。またネジの頭についても、六角レンチやドライバーで締めるもの、ネジをまわすための取っ手のついた物など、その種類を問わず、代替して使用することができる。
【００１３】
上述した構成において、円弧状の穴４を、円弧状に穴加工しなくても、軸３を中心とした円弧上に、例えば円弧角５度の間隔で複数の穴を開ける事によって、同等の角度調節機能を持たせる事ができる。
【００１４】
【発明の効果】
このようにすれば、ノートパソコンの発熱が伝わり冷却台が熱を持った場合、机面との間にスペースがあるため、そこに空気の対流が生まれ、冷却台自体の放熱を効率良く行う事ができる。また、台と脚との接続部分の軸を中心とした回転機構によって、各ユーザーが自分にあわせてキーボード面の傾斜角度を調節することができる。
【図面の簡単な説明】
【図１】載置台の右上からの斜視図である。
【図２】載置台の右下からの斜視図である。
【図３】可動例１の右面図である。
【図４】可動例２の右面図である。
【図５】脚部の詳細図である。
【符号の説明】
１  台部
２  脚部
３  軸
４  円弧状の穴
５  固定用のネジ
６  ヒートシンク
７  机面
【図１】
2004237047.tif 000003
【図２】
2004237047.tif 000004
【図３】
2004237047.tif 000005
【図４】
2004237047.tif 000006
【図５】
2004237047.tif 000007
(57)【要約】      （修正有）【課題】楽な姿勢で新聞記事を簡単に、直接切り抜くことが可能なハサミを提供する。【解決手段】ハサミ１の下刃３先端部分に設けた鈎型針４の針先を新聞記事周辺に突き刺し、鈎型針４によって開けられた穴を更に大きく切開する切開刃５と、実際に記事を切り抜く切断刃６をもつハサミで構成する。【効果】ハサミで新聞周囲から切り込んでゆく余分な作業がいらず、切り抜き作業がスピーディーに実施出来る。【選択図】  図１
2004237027.tif 000002
【特許請求の範囲】
【請求項１】
ハサミ下刃先端に設けた鈎型針と、鈎型針に隣接して設けた切開刃と、実際に記事を切り抜く切断刃をもつことを特徴とする切り抜きハサミ。
【発明の詳細な説明】
【０００１】
【産業上の利用分野】
本発明は、新聞などから記事を切り抜くための切り抜きハサミに関する。
【０００２】
【従来の技術】
従来、新聞などから掲載記事を切り抜くためには、切り抜き用カッターなどが用いられたが、従来品のカッターでは、新聞記事を切り抜くためには、新聞を広げるための十分な広さの平面を必要とし、かつ直線状に切り抜くためには定規などを当てる必要があり、新聞を手に持ったような楽な姿勢で、新聞から直接、記事をくり抜くように、切り取ることは出来なかった。
【０００３】
【発明が解決しようとする課題】
本発明は、上記従来技術の欠点を解決するものであり、新聞を手に持った楽な姿勢でも、新聞記事を簡単に、新聞から直接切り抜くことを可能とする。
【０００４】
【課題を解決する手段】
本発明は、ハサミ１の下刃３先端部分に鈎型針４を設け、鈎型針４の後に切開刃５を設けた切り抜きハサミにより、上記課題を解決する。
【０００５】
【作用】
本発明切り抜きハサミを使用するには、ハサミ下刃３先端に設けた鈎型針４の針先を、切り抜こうとする新聞記事周辺に突き刺し、鈎型針４先端を新聞紙の裏面に差し込む。次にハサミ下刃３を紙面裏面に押し込んで行くと、鈎型針４で開けられた穴は、鈎型針４に続く切開刃５で広く切開され、容易にハサミ下刃３を挿入できる。ハサミ下刃３が新聞紙面の裏側に十分挿入されると、普通のハサミのようにハサミ下刃３と上刃２を使って、目的とする切り抜き記事外周部を切り抜いて行くことができ、目的記事を容易に切り取ることができる。
【０００６】
【実施例】
図１は本発明切り抜きハサミの概念図である。図１に示す通り、本発明は、ハサミ下刃３先端に鈎型針４を設けている。従って目的の新聞記事を切り抜こうとする場合、抉るようにこの針先を新聞紙面に突き刺せば、針先は新聞裏面に通り、この針先がガイドとなって、更に紙面を鈎型針４に続く切開刃５で切り口を広げ、ハサミ下刃３が容易に新聞紙裏面に挿入される。ハサミ下刃３が、新聞紙の裏面に十分通れば、あとは目的記事の外周部に沿って、普通のハサミと同様に、新聞記事を切り抜いていけばよい。本発明で下刃３先端に直線針でなく鈎型針４にしたのは安全のためである。
【０００７】
【本発明の効果】
以上のように本発明切り抜きハサミは、新聞などの記事の切り抜きに於いて、ハサミで周辺から切り込んでいくという余分な作業がいらず、必要な記事部分だけを一気にくり抜くことができ、切り抜き作業がきわめてスピーディに実施できる。本発明切り抜きハサミは、新聞雑誌などの紙面切り抜きのみならず、布生地の切り抜きにも使用できる。
【図面の簡単な説明】
【図１】本発明の概念図
【符号の説明】
１    ハサミ
２    上刃
３    下刃
４    鈎型針
５    切開刃
６    切断刃
【図１】
2004237027.tif 000003
(57)【要約】【課題】従来のハンディー型電気掃除機は、床ノズルが幅広く、電気掃除機の吸引口に直接取り付ける方法になっている為、奥まった狭い処が掃除出来なかった為である。【解決手段】必要とする角度に自在に曲る事が出来るノズル付吸引ホースにする事によって、従来のハンディー電気掃除機の持つ不便な点を解決する事が出来る。【選択図】    図２
2004237029.tif 000002
【特許請求の範囲】
【請求項１】
ハンディー電気掃除機の吸引ホースが自在に曲る様にして、必要な角度で曲りが固定出来る様にした。
【発明の詳細な説明】
【０００１】
【発明の属する技術分野】
本発明は、狭く細い処を掃除可能を図ったハンディー掃除機吸引ホースに関するものである。
【０００２】
【従来の技術】
ハンディー式掃除機床ノズルが直接掃除機吸引口に取り付ける様になっており、吸引ホースが無い。
【０００３】
【発明が解決しようとする課題】
以上の様な従来の掃除機では、障害物の無い処では掃除が出来るが、狭く奥まった処は掃除出来ない。
【０００４】
【課題を解決するための手段】
本発明は、上記課題を解決する為に、ハンディー式電気掃除機に自在曲げ、尚固定出来る吸引ホースを取り付け、問題点を解決している。
【０００５】
【発明の実施の形態】
ハンディー電気掃除機の吸引口に、自在曲げ可能の吸引ホースを差し込むホースの先は、ブラシノズル等を取り付ける。このホースを必要な角度に曲げ掃除をする。尚、ブラシノズルは脱着式で交換出来る。ノズルにはブラシ型、先細隙間用ノズル型がある。この自在曲げホースで奥まった処、狭い処を掃除可能にする。
【０００６】
【発明の効果】
上述した様に、本発明のハンディー電気掃除機吸引ホースは、従来の床ノズルと掃除機本体の吸引口で取替える事が出来る事から、従来掃除出来なかった奥まった処や、曲りくねった部分、狭い処を掃除する事が出来る。
【０００７】
又、自在曲げ吸引ホースの先のノズルはブラシ状になっている為、エアコン等の掃除機には効果を発揮するものである。
【図面の簡単な説明】
【図１】本発明の実施形態を示す、ハンディー電気掃除機吸引自在曲げホースの側面図。
【図２】上記ホースの断面図。
【符号の説明】
１  ブラシ付ノズル。
２  自在曲げ吸引ホース。
３  ホースソケット。
４  鋼製自在曲げホース。
【図１】
2004237029.tif 000003
【図２】
2004237029.tif 000004
(57)【要約】【課題】従来、根元だけをパーマをかけようとすると毛先を逃がして巻くために形状がらせん状になりヘアスタイルが造りづらかった。【解決手段】筒状のロッドを図２のように開くようにし、開いた筒状の中に巻きたくない毛髪を挟み込み、残りのかけたい毛髪を、筒状に戻したロッドに巻きパーマをかける。尚、断毛を避ける為に図３のように合わさる部分を、重なるようにし、すき間を開けてある。【選択図】    図１
2004237030.tif 000002
【特許請求の範囲】
【請求項１】
筒状のロッドを開くようにし、パーマをかけたくない毛髪を開いた中に入れ込み、根元だけをかけるロッド。
【請求項２】
断毛を避ける為に、ロッドの合わせ部を重なるようにし、すき間を開けてある。
【発明の詳細な説明】
【０００１】
【発明の属する技術分野】
理美容室において、パーマをかける時、筒状のロッドに巻いて、パーマをかけるのが一般的で、その他に円錐状、パイプ状などがある。
【０００２】
【従来の技術】
従来の技術で毛先をかけないで根元だけに、パーマをかけようとすると毛先を巻き込まず逃がして巻くために、形状がらせん状になり、ヘアースタイルが作りづらかった。
【０００３】
【発明の実施の形態】
本発明は、図１のように筒状ではあるが、図２のように開くようになっており、パーマをかけたくない毛髪を筒状の中に挟み込み、パーマをかけたい部分だけ巻き込みパーマをかける。
【０００４】
【発明の効果】
この発明を使用し、パーマをかけることによりヘアースタイルのデザインの幅が広がり、ヘアースタイルの再現がしやすく、扱いやすくなる。
【図面の簡単な説明】
【図１】本体の立体図である。
【図２】本体の開いた状態の断面図である。
【図３】本体の閉じた状態の断面図である。
【図１】
2004237030.tif 000003
【図２】
2004237030.tif 000004
【図３】
2004237030.tif 000005
(57)【要約】〔課題〕  串さし類を食べる時、串さし棒がのど元に行かない様前に押し出し、口元も汚れないできれいに食べられる。〔解決手段〕  串さしの材料を前に押し出す事と、妻楊枝として使用し、又その妻楊枝を置く台として使用出来る事が特徴である。【選択図】  図１
2004237061.tif 000002
【特許請求の範囲】
【請求項１】
ダブル楊枝とは、妻楊枝２本を太い頭の先端から下１ｃｍの所に各１本ずつ、ひとまわり切れ目をいれ、頭から切れ目迄２本を接着する事によって下の細い部分が開きダブル楊枝となる。
【発明の詳細な説明】
【０００１】
〔発明の属する技術分野〕
この発明は妻楊枝をダブルにした利用方法である。
【０００２】
〔従来の技術〕
従来の楊枝は１本だけで使用する妻楊枝である。
【０００３】
〔発明が解決しょうとする課題〕
ダブル楊枝を使う事によって、串さし類のおだんご、やきとり、おでんバーベキュー等の具を串の前に押し出す利用方法と、歯のつまりをダブル楊枝の１本を折って使い、もう１本を妻楊枝の置き台として使用出来る。
【０００４】
〔課題を解決するための手段〕
妻楊枝となる材料は、主に木材、プラスチック樹脂加工類等歯の汚れを取るための、すき間に入る細い先端の楊枝とバーベキュー等を押し出すに当って折れないための太い楊枝を兼ねたダブル楊枝である。
【０００５】
〔発明の実施の形態〕
以下、本発明の実施の形態について説明する。
（イ）２本の妻楊枝の頭の太い部分を切れ目迄２本を接着した状態。
（ロ）折った状態。
（ハ）使用中の妻楊枝と置き台。
【０００６】
〔発明の効果〕
ダブル楊枝で串さし類を押し出し食べると、口のまわりがきれいでいられる事と、歯のつまりを取る妻楊枝と、それを置く台として三役こなす効果。
【図面の簡単な説明】
【図１】本発明の表面である。
【図２】本発明の１本を切れ目より折った状態。
【図３】本発明の折った使用中の１本を置き台に置いた状態。
【符号の説明】
１．２本の妻楊枝を接着した状態。
２．折る切れ目。
３．折った状態。
４．妻楊枝として。
５．置き台として。
【図１】
2004237061.tif 000003
【図２】
2004237061.tif 000004
【図３】
2004237061.tif 000005
(57)【要約】【課題】従来の吸盤付石けん洗いは、手洗い用の石けん洗いでした。洗濯用固型石けんで利用した所、石けんが何回も出てしまう為、うまく洗えなかった。場所も、洗濯・台所・手洗いなど、移動して使えるようにする。【解決手段】小さくなった石けんを出なくする為、石けんを入れるポケットがあり、ネットの袋の網目は細かく、縛る所は丸ゴムになっていて２回、回して利用する。洗濯・台所に移動できる。【選択図】  図３
2004237062.tif 000002
【特許請求の範囲】
【請求項１】
小さくなった石けんを、入れるポケットがあり、ネットの袋の網目は細かく、縛る所が丸ゴムになっていて、洗濯・台所に移動できる、洗濯用固型石けん入れ。
【請求項２】
石けんを入れる時は、中身を反対にしてポケットに石けんを入れてから表にして、縛る時は丸ゴムを２回、回してから止めて利用する、洗濯用固型石けん入れ。
【請求項３】
手を洗う時は、１枚の網目を手前にし、吸盤を付けて利用する手洗い用石けん入れ。
【発明の詳細な説明】
【０００１】
【発明の属する技術分野】
本発明は、洗濯・台所・手洗いなど、移動して使う洗濯用固型石けん入れに関する。
【０００２】
【従来の技術】
従来は、吸盤付石けん洗いがあり、手洗い用の石けん洗いでした。
【０００３】
【発明が解決しようとする課題】
従来の吸盤付石けん洗いは、手洗い用の石けん洗いでした。
洗濯用固型石けんで、利用した所、石けんが何回も出てしまう為うまく洗えなかった。
場所も、洗濯・台所・手洗いなど移動して使えるようにする。
【０００４】
【課題を解決するための手段】
本発明は、上記目的を達成するために、請求項１では、小さくなった石けんを出なくする為、石けんを入れるポケットがあり、ネットの袋の網目は細かく、縛る所は丸ゴムになっていて、洗濯・台所に移動できる。
【０００５】
請求項２では、小さな石けんを入れる時は、中身を反対にしてポケットに石けんを入れてから表にして、縛る時は、丸ゴムを２回回してから止めて利用する。
【０００６】
請求項３では、手を洗う時は１枚の網目を手前にして吸盤を付けて利用する。
【０００７】
【発明の実施の形熊】
発明の実施の形熊を実施例にもとづき図面を参照して説明する。
図１に示される実施例では、小さくなった石けんが、出なくする為、ネットの網目は細かく、石けんポケットは中側にある。
図は中側の図である。
【０００８】
図２に示される実施例では、小さな石けんを入れる時は、中身を反対にして、石けんポケットに石けんを入れてから表にする。
【０００９】
図３に示される実施例では、図２のつづきである。
石けんを入れてから表にする。
丸ゴムを縛る２回、回して止める。
【００１０】
図４に示される実施例では、手を洗う時は、１枚の網目を手前にして吸盤をつけて利用する。
【００１１】
【発明の効果】
本発明は、使う場所で吸盤を付けて利用し、洗濯・台所・手洗いなど移動して使える。
【００１２】
【図面の簡単な説明】
【図１】洗濯用固型石けん入れの実施例を示した平面図である。
【図２】洗濯用固型石けん入れの実施例を示した平面図である。
【図３】洗濯用固型石けん入れの実施例を示した平面図である。
【図４】洗濯用固型石けん入れの実施例を示した平面図である。
【符号の説明】
１  石けんネット
２  石けんポケット
３  丸ゴム
４  吸盤
【図１】
2004237062.tif 000003
【図２】
2004237062.tif 000004
【図３】
2004237062.tif 000005
【図４】
2004237062.tif 000006
(57)【要約】      （修正有）【課題】揚げ物や炒め物をする際にはねた油で火傷を負わないで安心して調理が出来るマスクを提供する。【解決手段】厚めの布を用いてマスクの本体部分１を構成し、視界を確保するために耐熱性の樹脂などを用いて窓３を付ける。【選択図】  図１
2004237060.tif 000002
【特許請求の範囲】
【請求項１】
顔面のほぼ全体を覆うマスクであって、視界を遮らないように目の前の部分に設けられた窓に透明の耐熱性素材を用いることを特徴とするマスク。
【請求項２】
請求項１に記載されるマスクであってマスク本体部分に難燃性あるいは不燃性の布を用いる事を特徴とするマスク。
【請求項３】
三角巾の一部分が２層以上で構成され、カバー部（上側の層）に透明の素材で構成された窓を備え、必要に応じてカバー部（上側の層）のみを顔の前に垂らす事が可能な構造を持つ調理用マスク。
【請求項４】
請求項３に記載されるマスクであって、カバー部を三角巾本体部あるいは頭部に固定するためにスナップあるいはマジックテープあるいは紐を用いる事を特徴とするマスク。
【発明の詳細な説明】
【０００１】
【発明の属する技術分野】
この発明は調理用マスクに関するものである。
【０００２】
【従来の技術】
従来、調理時の火傷を防ぐ為の顔面用マスクは市販されておらず、また過去の出願を見つけることは出来なかった。
【０００３】
【発明が解決しようとする課題】
従来、揚げ物や炒め物調理を行う際には油が飛散して火傷を負うことが良くあった。本発明は以上の問題をを解決し、安心して調理にかかることが出来る為の顔面用マスクである。
【０００４】
【課題を解決するための手段】
通気性のある素材を用いてマスクを形成するが、視界が遮られることがないように、目の前部分に透明の素材を用いて窓を設ける。これにより作業の手元をしっかりと見ながら調理出来る。
【０００５】
【発明の実施の形態】
以下本発明の形態について説明する。
本マスクは難燃性あるいは不燃性の布を用いて本体を構成する。窓部分に用いる耐熱性素材には柔軟で１８０度Ｃ以上の耐熱性を持つものが望ましい。また少々の油が飛んでも危険がない様に布は厚めの物やキルティング地を用いる方が良い。
【０００６】
【実施例１】
図１に示す様に難燃性あるいは不燃性の布を用いた顔面マスク本体部（１）と耐熱性樹脂を用いた窓（３）、及びニット生地を用いた紐で構成する。本体部（１）を長くすると胸元が開いた服で調理する際にも安心である。頭部への固定はゴムを通す他、頭部の後ろ側でニット製の紐を結ぶ、あるいは締め付けがきつくなりすぎないように、普通の紐とニットやゴムの紐を組み合わせること事でも出来る。
【０００７】
【実施例２】
三角巾の一部を２層にし、カバー部（５）を反対側に折り返すことが出来る構造にしておく。三角巾本体部分（４）との縫合箇所を極力端に寄せると、三角巾本体部分（４）を頭に固定した後でも簡単にカバー部（５）の向きを反転できる。カバー部（５）の幅は邪魔にならないように顔の幅より少し大きめな程度にする。
【０００８】
【実施例３】
顔の前に下ろした状態でカバー部（５）がまっすぐに保たれる為にはカバー部（５）の三角巾本体部分（４）への縫いつけ位置を両端でずらしたり（図３ｂ）
【０００９】
【実施例４】
またカバー部（５）の両端数ｃｍを三角巾本体部分（４）に固定しない方法（図４ｂ）を採るなども有効である。またカバー部（５）を顔面側に折り返した後スナップ（８）で三角巾本体部（４）に固定する方法も有る。（図４ｂ）
【００１０】
【実施例５】
顔面の前に垂らした際にカバー部（５）が揺れ動かない為にカバー部（５）の両端をスナップ（８）やマジックテープ（９）などで三角巾本体部（４）に係止すると良い。（図５）またカバー部（５）の両側に紐（２）を付け頭部の後ろで結ぶ方法も有る。
【発明の効果】
油が飛んで火傷したり、その跡がしみになって残ったりする悩みから解放され、安全に揚げ物や炒め物などの調理が出来る。またタマネギなどを切る際にも利用でき、応用範囲は広い。三角巾タイプのものは不要の時には普通の三角巾として使え、顔面マスクが必要なときにはさっと顔の前に下ろすだけで手軽に利用できる。
【図面の簡単な説明】
【図１】本発明の実施例１
【図２】本発明の実施例２
【図３】本発明の実施例３
【図４】本発明の実施例４
【図５】本発明の実施例５
【符号の説明】
１  顔面マスク本体部
２  紐
３  窓
４  三角巾本体部分
５  カバー部
６  縫合部
７  スナップ
８  マジックテープ
【図１】
2004237060.tif 000003
【図２】
2004237060.tif 000004
【図３】
2004237060.tif 000005
【図４】
2004237060.tif 000006
【図５】
2004237060.tif 000007
(57)【要約】［課題］冷たい水仕事の後や冷たい場所では、手指が凍えて痛む。何時でも何処でも簡便に手指を温めうる方法があると好い。［解決手段］所謂「使い捨て懐炉」を応用したものであって、主としてカジュアルウエアやワークウエアなどの洋服の上着のポケットに入り切る大きさであって、発熱剤を入れる袋を布などの少々手指で揉んでも破れないものにして、洋服のポケットに入れて、手指を温めるために使用する、鉄粉の酸化熱を利用した、ポケットウオーマー。【選択図】なし。【特許請求の範囲】
【請求項１】
所謂「使い捨て懐炉」を応用したものであって、主としてカジュアルウエアやワークウエアなどの洋服の上着のポケットに入り切る大きさであって、発熱剤を入れる袋を布などの少々手指で揉んでも破れないものにして、洋服のポケットに入れて、手指を温めるために使用する、鉄粉の酸化熱を利用した、ポケットウオーマー。
【請求項２】
「請求項１」のポケットウオーマーにおいて、ポケット内の内側と外側の両側にそれぞれ貼り付けうるように接着剤を塗って、掌と甲の両面を同時に温めうるように使用しうるようにした、また、二枚組包装をメインとした、ポケットウオーマー。
【請求項３】
「請求項２」のポケットウオーマーに関係して、足首辺りを温めるために、ポケットウオーマーを貼付して使用しうる、伸縮性のベルト式あるいは筒形式の、足首巻と呼ぶことにする、足温用ポケットウオーマー貼付用帯。
【発明の詳細な説明】
【０００１】
［発明の属する技術分野］
本発明は、ポケットに入れておいて或いは貼っておいて、手を入れて温めるために使用する、所謂「使い捨て懐炉」を応用したポケットウオーマーである。
【０００２】
［従来の技術］
本発明の作用原理は鉄粉の酸化熱を利用した使い捨て懐炉にあるが、カイロは冷えたボディーの一部を温めるもので、本発明のように手指を温める目的のものは無かった。
【０００３】
［発明が解決しようとする課題］
冬季になると、いろいろな場合に手が凍えることが多い。特に、冷たい水仕事の後や戸外や暖房のない職場では痛みさえ感じることは屡である。
手炙り用ストーブで温めてもなかなか芯まで温まらないものである。手を温水に漬けて温めるのが昔からの最適な方法であるが、何時でも何処でも叶うものではない。
この手湯に関連して思い出したのであるが、足湯と言うものが昔は行なわれていた。「大辞林」には、のぼせを防ぎ、発汗を促すため、両足を湯に浸して温めること、とある。一般には、体が冷えたとき、足を温めて血の巡りを良くして、体調を活性化していた。
【０００４】
［課題を解決するための手段］
そこで、使い捨て懐炉をポケットに入れて手を温めることを思いついた。旧いもので試してみると、可なり効き目がある。現在のものは、貼り付けるための糊が着いており、またポケットに貼るには使えないことは無いが少し広い。
そして、足湯的に使用することも発案した。
【０００５】
［発明の実施の形態］
そこで、発明したのが、本発明である。それは、「特許請求の範囲」に簡潔に述記してある。
尚、本発明の発熱持続時間に関しては、カイロでは、各社により違っていて、１０時間から１２時間くらいの単一製品であるが、本発明においては、５時間くらいのものと１０時間くらいのものの二種類を開発したい。
【０００６】
［発明の効果］
本発明によって、冷たい水仕事をしたり、冷たい場所で、作業したり、スポーツしたり、遊んだり、車を始動させる場合などに、手軽に凍えた手指を温めることが出来るようになった。
現在店頭には、沢山のカイロが並べてあるが、余り売れていないようである。
本発明によって、鉄粉や酸化促進剤には従来のカイロを凌ぐ需要が発生することになろう。
私は、先般、現在のＡＶ用の磁気テープが軟鉄類を使用したもので、磁気記憶の原理を満足させるものとして市販されていないので、鋼鉄類を使用することを出願した。しかし、永久磁石鋼は酸化して粉末にすることは不可能なのではないかと考え、粉末使用テープは諦め、メタルテープのようなスチールテープを提案した。
そうなれば、従来の酸化鉄粉業者は、この分野で仕事を失うことになるので、何か好ましい仕事はないかと思っていた。
本発明の鉄粉は酸化して造ることは出来ないが、若し戸田工業などが生軟鉄粉を製造したければ、是非やってもらいたいと思っている。
調べてみると、懐炉は江戸時代に我国で発明されたものらしく（「現代新百科事典（学研・１９６５年）」）、外国で使用されているものかどうか。若し使用されていないのであれば、是非使用するようになって貰いたいと思う。アメリカのプロ選手などからお願い出来ればと思っている。
(57)【要約】【課題】競技場等で特定の走路を複数の走者が周回するスピード競技において、小型で設置し易い周回チェック装置を提供する。【解決手段】トリガ送信部を間欠発信させることで、大出力のトリガ送信部を小型にする。【選択図】      図１
2004237057.tif 000002
【特許請求の範囲】
【請求項１】
競技場等で特定の走路を複数の走者が周回するスピード競技において、走路の外側に設けた数ＫＨｚ〜数百ＫＨｚの低い電波を送信するトリガ送信部と、そのトリガ送信信号を受信した時に個々の走者が持つ固有のＩＤ番号を、数十ＭＨｚ〜数百ＭＨｚの高い周波数で送信するＩＤタグと、ＩＤ番号を受信して個々の走者の周回数を表示器で構成する装置において、トリガ送信部が間欠発信することを特徴とする、周回チェック装置。
【発明の詳細な説明】
【０００１】
【発明の属する技術分野】本発明は、競技場等で特定のコースを複数の走者が周回するスピード競技において、走者の周回回数を計測管理する周回チェック装置に関する。
【０００２】
【従来の技術】従来の方法は、ＩＤタグにＩＤ番号データを送信させる為のトリガ（引き金）信号を送信するアンテナが走路を横切るように設置されていた。（例えば、特許文献  特願平６−２２２６９８  参照）
【０００３】
【発明が解決しようとする課題】以上の従来技術によれば、走者が走る走路を横切るように、アンテナを設置する工事費用が大きかった。
【０００４】また、走路の外側にトリガアンテナを設置すると、走路の反対側を通過する走者との距離が大きくなるので、トリガ送信部の送信出力を大きくしなければならず、大型の送信部が必要であった。
【０００５】
【課題を解決するための手段】以上の課題を解決するため、請求項１の発明は、トリガ送信部を間欠発信させることで、大出力のトリガ送信部を小型に出来て、設置工事や変更工事を簡単に実現できる周回チェック装置を提供する。
【０００６】トリガ送信部は、送信出力を大きくすると、それに比例して発熱量が増大し、放熱の機構が大きくなって、大型になるのが通例である。
そこで、送信出力を断続して間欠発信する事により、最大出力を大きくしても、平均出力が抑えられて、形状が大きくならないようにする方法である。
【０００７】
【発明の実施の形態】発明の実施の形態を実施例にもとづき図面を参照して説明する。
図１の実施例では、トリガ送信装置が、間欠発信制御部３１とトリガ送信部３２及びトリガ送信アンテナ３３で構成されている。
【０００８】
走路１１を走るＩＤタグを持った走者２１〜２５が、トリガ送信アンテナ３３に近づくと、ＩＤタグから各々固有のＩＤ番号が送信されて、受信装置のＩＤ受信アンテナ４１〜４２とＩＤ受信部４３で受信されるＩＤ番号により、各々の走者がトリガ送信アンテナ３３付近を通過した回数を周回表示部４４で表示する。
【０００９】トリガ送信部３２は、数ＫＨｚ〜数百ＫＨｚの信号を発生し、従来は間欠発信制御部３１が無くて、図２の連続発信信号を出力していた。
【００１０】連続発信では、例えば送信出力１０Ｗで送信効率が５０％とすると、平均で１０Ｗの発熱が発生する。
走路の反対側まで届く距離を延ばすために、送信出力を４倍の４０Ｗにすると、発熱量も４倍になって、放熱効果が４倍必要であり、形状が大きくなる。
【００１１】本発明では、トリガ送信部を制御する間欠発信制御部３１を設けて、例えば図２の間欠発信波形のように、１ｍＳ送信して３ｍＳ送信停止を繰り返すようにすると、平均出力は１０Ｗになり、発熱量が１／４に抑えられて、放熱機構を大きくしなくても良い。
ＩＤタグは、トリガ信号を受信したら、ＩＤ番号を発信するだけの動作であるから、連続発信でなくとも支障がなく、送信出力のピーク値が大きくなれば、受信可能な距離を大きく出来る。
【００１２】
【発明の効果】以上説明したように、本発明によれば、競技場等で特定の走路を複数の走者が周回するスピード競技において、小型で設置し易い周回チェック装置を提供できる。
【図面の簡単な説明】
【図１】周回チェック装置。
【符号の説明】
１１  走者が走る走路の境界
２１〜２５  ＩＤタグを持つ走者
３１  間欠発信制御部
３２  トリガ送信部
３３  トリガ送信アンテナ
４１〜４２  ＩＤ受信アンテナ
４３  ＩＤ受信部
４４  周回表示部
【図２】トリガ送信波形の例（連続発信と間欠発信波形）
【図１】
2004237057.tif 000003
【図２】
2004237057.tif 000004
(57)【要約】【課題】上記芳香剤容器では、摺動蓋が引き上げられた状態か、引き下げられた状態かは、外側から確認することが出来なくて、開口した状態で放置され、芳香剤がすぐに蒸発する傾向があった。拠って、芳香剤容器として、開口している状態がすぐにわかる容器の開発が強く望まれている。【解決手段】ギヤとラックの歯合により閉蓋が上下に摺動し、香芯を開閉する構成をとる。即ち本発明の芳香剤容器では、ラックギヤ３０を下降させる事により、ギヤ４０が回転し、キャップ付きラックギヤ２０が上昇し、キャップ２１が閉塞した香芯４を露出させる芳香剤容器を提案する。【選択図】  図２
2004237059.tif 000002
【特許請求の範囲】
【請求項１】
芳香剤を収納した瓶２において、瓶２の口部上部外周に設けたネジ部３を形成し、固定蓋１０はその下部内周に設けたネジ部１１とネジ部３とのねじ合わせにより瓶２へ固定され、筒形状の固定蓋１０は、上部が開口１２し、下部のネジ部の上方に左右対称にスリット１３が数本づつ開けられ、毛細管現象により、芳香剤を吸引する香芯４を支持する中栓１５が、瓶２の口部５に嵌着し、香芯４は瓶２の口部５より、少し突出した位置で、中栓１５により支持されている芳香剤容器１において、キャップ付ラックギヤ２０は少し突出した香芯４を閉塞するキャップ２１を有し、キャップ２１の天面上部に略半円柱の支柱を突設し、中心部側に歯列２２を設けていて、歯列２２の上部に半円形のボタン２３を設け、ラックギヤ３０は半円柱の支柱を設け、中心部側に歯列３１を設け、歯列３１の上部に半円形のボタン３２を突設し、ギヤ４０をギヤ軸４１にて固定蓋１０の内面の中央部より少し上側に固着させ、キャップ付ラックギヤ２０とギヤ４０とを摺動自在に歯合し、ギヤ軸４１にて、キャップ付ラックギヤ２０を香芯４を閉蓋した状態で、ボタン２３の上部と固定蓋１０の上面開口部が同一平面状に位置し、ギヤ４０と歯合し、もう一方のラックギヤ３０は、閉蓋状態では少し上昇している状態で、ギヤ４０と摺動自在に歯合し、ラックギヤ３０を下降させることにより、ギヤ４０が回転し、キャップ付ラックギヤ２０が上昇し、キャップ２１が閉塞した香芯４を露出させる芳香剤容器。
【請求項２】
キャップ付ラックギヤ２０を下降させることにより、ギヤ４０が回転し、ラックギヤ３０が上昇し、キャップ２１が香芯４を閉塞させるようにした請求項１記載の芳香剤容器。
【発明の詳細な説明】
【０００１】
【発明が属する技術分野】本発明は、室内または自動車室内用の芳香剤容器に関するものである。
【０００２】
【従来の技術】従来から、芳香剤容器では、キャップを回転させると、摺動蓋が引き上げられ、フランジ下面と中栓との間に空隙が生じて、香芯に浸漬した芳香剤が気化して生じたガスがこの空隙及び固定蓋の適所に設けたスリット状の開口を経由して外部に漏出する機構である（例えば、特許文献１参照）。
【０００３】
【特許文献１】
実公昭５７−３２８０６号公報
【０００４】
【発明が解決しようとする課題】
しかしながら、上記芳香剤容器では、摺動蓋が引き上げられた状態か、引き下げられた状態かは、外側から確認することが出来なくて、開口した状態で放置され、芳香剤がすぐに蒸発する傾向があった。拠って、芳香剤容器として、開口している状態がすぐにわかる容器の開発が強く望まれている。
【０００５】
本発明は、このような事情に鑑みなされたもので、開口状態が、外からみて直ぐにわかる芳香剤容器の提供をその目的とする。
【０００６】
【課題を解決するための手段】上記目的を達成する為に本発明に係る芳香剤容器は、ギヤとラックの歯合により閉蓋が上下に摺動し、香芯を開閉する構成をとる。
【０００７】
即ち本発明の芳香剤容器では、ラックギヤ３０を下降させる事により、ギヤ４０が回転し、キャップ付きラックギヤ２０が上昇し、キャップ２１が閉塞した香芯１４を露出させる芳香剤容器を提案する。
【０００８】
つぎに、本発明の実施の形態を図面に基づいて詳しく説明する。
【０００９】
図１〜図４は本発明の芳香剤容器の一実施の形態を示している。これらの図において、芳香剤容器１は、扁平な形状をした瓶２で、瓶２の口部上部外周に設けたネジ部３を形成する。固定蓋１０はその下部内周に設けたネジ部１１とネジ部３とのねじ合わせにより瓶２へ固定されている。筒形状の固定蓋１０は、上部が開口１２していて、下部のネジ部の上方に左右対称にスリット１３が４本づつ開けられている。
【００１０】
毛細管現象により、芳香剤を吸引する香芯４を支持する中栓１５が、瓶２の口部５に嵌着している。香芯４は瓶２の口部５より、１〜２ｃｍ突出した位置で、中栓１５により支持されている。キャップ付ラックギヤ２０は１〜２ｃｍ突出した香芯４を閉塞するキャップ２１を有し、キャップ２１の天面上部に略半円柱の支柱を突設し、中心部側に歯列２２を設けていて歯列２２の上部に半円形のボタン２３を設けている。ラックギヤ３０は半円柱の支柱を設け、中心部側に歯列３１を設け、歯列３１の上部に半円形のボタン３２を突設している。ギヤ４０をギヤ軸４１にて固定蓋１０の内面の中央部より少し上側に固着させ、キャップ付ラックギヤ２０とギヤ４０とを摺動自在に歯合する。
【００１１】
ギヤ軸４１にて、両端と固定蓋１０に固着している。更に、固定蓋１０の内面には、ガイド溝１４、１５を設けている。
位置関係は、キャップ付ラックギヤ２０を香芯４を閉蓋した状態で、ボタン２３の上部と固定蓋１０の上面開口部が同一平面状に位置し、ギヤ４０と歯合する。
もう一方のラックギヤは、閉蓋状態では少し上昇している状態で、ギヤ４０と摺動自在に歯合する。
キャップ付ラックギヤ２０を例えば青色にし、ラックギヤ３０を赤色の樹脂で成形する。
【００１２】
【作用】
本発明にかかわる芳香剤容器１は、使用するには１〜２ｃｍ上昇している。ボタンを下に下げるとラックギヤ３０が下降し、ギヤ４０が回転し、キャップ付ラックギヤ２０が上昇し、キャップ２１が閉塞した香芯１４を露出させる。
毛細管現象にて香芯１４に芳香剤が吸い上げられ、固定蓋１０のリット１３から、放出、芳香を放つようになる。
使用を止める場合は、キャップ付ラックギヤ２０を押し下げることにより、キャップ２１が香芯１４を閉塞する。
【００１３】
【発明の効果】
キャップ付ラックギヤ２０を青色にし、ラックギヤ３０を赤色の樹脂で成形しておき、赤色のラックギヤ３０が上昇している時はは芳香剤が芳香しないと説明書に記載しておき、青色のキャップ付ラックギヤ２０が上昇しているとき、芳香剤が芳香していると説明書に記載する。香りが欲しい時だけ芳香させ、不必要な場合は芳香させないことが、視覚で判断が可能となる。芳香剤がすぐに消失してしまうという欠点を改善することが可能となる。
【図面の簡単な説明】
【図１】芳香剤容器の斜視図
【図２】キャップ２１で香芯４を閉塞した状態の断面図
【図３】ラックギヤ２２を下降させ、キャップ２１を上昇させ、香芯４が芳香を放つ状態の断面図
【図４】歯列２２、ギヤ４０、キャップ付ラックギヤ２０の斜視図
【符号の説明】
１・・・・芳香剤容器
４・・・・香芯
２０・・・・キャップ付ラックギヤ
２１・・・・キャップ
３０・・・・ラックギヤ
４０・・・・ギヤ
【図１】
2004237059.tif 000003
【図２】
2004237059.tif 000004
【図３】
2004237059.tif 000005
【図４】
2004237059.tif 000006
(57)【要約】【目的】患者の体を拘束しないで使用出来、簡単に着脱できる腰椎牽引装置をつくる。【構成】肘１のストッパー３と背中の摩擦力で上半身を支え、膝を曲げて載せた山形ホルダー４で下肢を保持して牽引する。【選択図】  図２
2004237058.tif 000002
【特許請求の範囲】
【請求項１】
腰椎を牽引する装置であって、下方向に引っ張られる上半身を支持するのに、マット上に仰臥し、且つ両体側で略直角にたてた両肘の関節部を、足方向から支持するストッパーを、マット上に設けてなる腰椎牽引装置。
【請求項２】
腰椎の牽引で、下半身を足方向に引くのに、仰臥して両膝を曲げて乗せる山形のホルダーを、上半身を乗せたマットに対して足方向に牽引する、腰椎牽引装置。
【請求項３】
上記【請求項２】の山形ホルダーに於いて、両下肢を、両側方から収納できる空間を構成してなる  腰椎牽引装置。
【発明の詳細な説明】
【０００１】
【発明の属する技術分野】
本発明は腰痛を軽減する為に、腰椎を、上下方向に引き伸ばす整形外科分野で使用する牽引装置であって、患者の体を簡単に且つ安全に保持出来る。
【０００２】
【従来の技術】
従来の牽引装置は、患者の体を装置にセットするのに、胸や足首を拘束し、着脱に手間を要し、簡単には取り外し出来ず、非常時の脱出にも時間がかかった。
【０００３】
【発明の実施の形態】
仰臥した状態で足を引っ張ると、上半身が下に動き、腰椎が充分に伸ばされなくなるのを防ぐために、【図１】で仰臥したまま、両肘１をほぼ直角に立てて、肘１の下方に当てるストッパー３を設け、このストッパー３を上半身が仰臥しているマット２に固定する。
ここに、上下方向とは、頭と足の方向をさす。
マット２にストッパー３を取り付けるには、例えば、床板８に固定したマット２の上面と、ストッパー３の下面に貼りつけた、マジックテープで、簡単に固定位置を調節して固定する。
上半身を乗せるマット２の上面と患者の背中間の摩擦力とストッパー３の支持力で足を下方に引く力に対応させる。下方に引く力は、３０キログラム前後であるから、両肘で支える力２０キログラム前後を分担させ、背中の摩擦力で１０キログラム前後を分担させると、患者に苦痛を与えない。
膝を曲げて足を乗せるホルダー４は、【図１】【図２】に示す様に、山型に構成した枠又は斜面であって、スライダー５に固定し、スライダー５は床板８上を、マット２に対して可動に構成する。
動力又は、手動により、足を乗せたホルダー４は、上下方向に動き腰椎を牽引する。ホルダー４の下は駆動装置９の取り付け場所になる。ホルダー４の下肢側斜面には、【図２】に示すように、隔壁６と  天板７で横断面形状をＴ字状に構成した  下肢の収納区画を設け、側方から両下肢をはめ込む事ができる様にする。
【０００４】
【発明の効果】
腰椎牽引装置の要点は、患者の体を簡単にセットできて、簡単に外せる事に尽きるが、松葉杖の様に両腕に支える力を負担させ、肘をストッパー３で支えることにより、すぐに上半身をセットし、また外す事ができる。脚は山形のホルダー４に乗せて、下肢をＴ字状区画に入れる事により、簡単にセットし、牽引に耐え、すぐ外せる。天板７により、牽引時に下肢が持ち上げられるのを防ぐ。
体を拘束されないで、腰椎を牽引出来るから、すぐ脱出できる。
また腰椎の牽引は、膝を曲げている方が、腰椎に無理が罹らない。
本発明は、安全で、簡潔。操作性のよい腰椎牽引装置を提供する。
【図面の簡単な説明】
【図１】本発明の構成を示す略図
【図２】本発明の全体を示す外観図
【符号の説明】
１    肘
２    マット
３    ストッパー
４    ホルダー
５    スライダー
６    隔壁
７    天板
８    床板
９    駆動装置
【図１】
2004237058.tif 000003
【図２】
2004237058.tif 000004